Podtech/llm-jp-corpus-v4-ja_patent huggingface dataset:
(57)【要約】      （修正有）【課題】トルマリンの電気分解接触時間を長くして持続性をもたせる装置を提供する。【解決手段】水を投入できる上槽と、この上槽の仕切り部に設けた濾過用フィルターと、水との接触が可能な容器に収容したトルマリンに接触貯留できる下槽とからなるＨ＋イオン水とＯＨ−・Ｏ２Ｈ３−イオン水同時製造維持装置を実現する。【選択図】図１
0003169609.tif 000002
【実用新案登録請求の範囲】
【請求項１】
水を投入できる上槽と、この上槽の仕切り部に設けた濾過用フィルターと、水との接触が可能な容器に収容したトルマリンに接触貯留できる下槽とからなるＨ＋イオン水とＯＨ−・Ｏ２Ｈ３−イオン水同時製造維持装置。
【考案の詳細な説明】
【技術分野】
【０００１】  本考案は、早期にＨ＋イオン水とＯＨ−・Ｏ２Ｈ３−イオン水同時製造維持装置に関する。
【背景技術】
【０００２】  水を投入できる上槽と、上槽の仕切り部に設けた活性炭、鉱石セラミック、濾過用フィルター、又は麦飯石充填フィルターでなるフィルター、及びこのフィルターの下方に設けた水素含有水製造用スティツクはマグネシュウム、黒曜石、トルマリン、抗菌砂、及び風化サンゴを水と接触が可能な容器に収容した構成になっている（特許文献１）が、トルマリンの水に対する量が少なく特性が活かしきれていない。
トルマリン鉱石がマイナス電極に蓄えられた電子に、水が触れると瞬間的に放電され、水分子はＨ＋とＯＨ−に分解しＨ＋は電極に引き付けられ（Ｈ２）となり放出される（特許文献２）が、全ての水が瞬間的に触れる事は難しく、ゆっくりとした時間で放電されています。又、プラス電極に蓄えられた電子に、水が触れると瞬間的に放電され、水分子はＨ＋とＯＨ−に分解しＯは電極に引き付けられ（Ｏ２）となり放出される。水の中にはＨ＋・ＯＨ−・Ｏ２Ｈ３−（ヒドロキシルイオン）の３つの形のイオンで残るが、時間が経てば結合しもとの水に戻る。時間での分解と、イオン化された水の維持をしなければならない。
【先行技術文献】
【特許文献】
【０００３】
【特許文献１】  特許４０６９１７８号
【特許文献２】  特開２００６−２６３５６
【非特許文献】
【０００４】
【考案の概要】
【考案が解決しようとする課題】
【０００５】  本考案は従来の問題点を解消するため、トルマリン（電気石）が持つ特性を利用し、水の中にＨ＋・ＯＨ−・Ｏ２Ｈ３−（ヒドロキシルイオン）の３つ形のイオンを製造し、３つのイオンで維持できる装置を提供することに有る。
【課題を解決するための手段】  請求項１の考案は、家庭に常備して、毎日使用するに適するように構造に工夫を凝らしたＨ＋・ＯＨ−・Ｏ２Ｈ３−（ヒドロキシルイオン）の３つ形のイオン製造維持装置を提供する。【０００６】  水を投入できる上槽と、この上槽の仕切り部に設けた濾過用フィルターと、水との接触が可能な容器に収容したトルマリンに接触貯留できる下槽とからなるＨ＋イオン水とＯＨ−・Ｏ２Ｈ３−イオン水同時製造維持装置である。
Ｈ＋イオン水とＯＨ−・Ｏ２Ｈ３−イオン水同時製造維持装置を構成する上槽の蓋を外して、例えば、水道水、飲料水等の水を上槽に投入する。この投入の過程で、上槽に設けた交換用濾過布と瞬間接触多重接触槽を介して、水は清澄化されＨ＋イオン水とＯＨ−・Ｏ２Ｈ３−イオン水に変換されて、順次滴下（流下）された後、トルマリンを入れた下槽にたまる。
【考案の効果】
【０００７】  本考案は長時間トルマリンに接触・維持でき、このトルマリンは恒久的に使用できる。
【図面の簡単な説明】
【０００８】
【図１】  実施例のＨ＋イオン水とＯＨ−・Ｏ２Ｈ３−イオン水同時製造維持装置の正面図である。
【考案を実施するための形態】
【０００９】  本考案では、トルマリン鉱石が用いられ、２時間程度で水道水をＨ＋イオン水とＯＨ−・Ｏ２Ｈ３−イオン水に改質できる、使用量としては水２０Ｌ当り２ｋｇで十分である。以下本考案の実施例を図面に基づいて具体的に説明する。
【実施例】
【００１０】  図１は本考案の正面図であり、１はＨ＋イオン水とＯＨ−・Ｏ２Ｈ３−イオン水同時製造維持装置をしめし、盖２と開口３とを備えたＨ＋イオン水とＯＨ−・Ｏ２Ｈ３−イオン水同時製造維持装置である。濾過布５で、上槽４と下槽（接触・維持槽）８の間に仕切り部６が有り、水は濾過布５を通過しトルマリン多重接触槽７で水とトルマリンが瞬間接触し下槽（接触・維持槽）８へ溜まる。下槽（接触・維持槽）８でトルマリン９と長時間接触しＨ＋イオン水とＯＨ−・Ｏ２Ｈ３−イオン水として製造維持する。
【産業上の利用可能性】
【００１１】  本考案のＨ＋イオン水とＯＨ−・Ｏ２Ｈ３−イオン水同時製造維持装置は、オフィス・店頭・家庭で利用される。
【符号の説明】
【００１２】１    Ｈ＋イオン水とＯＨ−・Ｏ２Ｈ３−イオン水同時製造維持装置
２    水を投入する蓋
３    蓋の開口部
４    上部の水槽
５    濾過布
６    上槽と下槽の仕切り部
７    トルマリン多重接触槽
８    下部の水槽
９    トルマリン
１０  溢れ出ない為のフロート
１１  ディスペンサー
【図１】
0003169609.tif 000003
【手続補正書】
【提出日】平成23年5月19日(2011.5.19)
【手続補正１】
【補正対象書類名】実用新案登録請求の範囲
【補正対象項目名】全文
【補正方法】変更
【補正の内容】
【実用新案登録請求の範囲】
【請求項１】
水を投入できる上槽と下槽を二段に配し、前記上槽と下槽との間には仕切り部を設け、前記仕切り部に形成したろ過用フィルターを介して上槽から下槽へ水が投入され、前記下槽には水と接触可能な状態でトルマリンを収納したトルマリン多重接触槽を設けたＨ＋イオン水とＯＨ−・Ｏ２Ｈ３−イオン水同時製造維持装置。
(57)【要約】【課題】旅行カバンの箱体と箱蓋間の耐久性強度を高め、更に密着させる旅行カバンの蓋閉じ構造を提供する。【解決手段】旅行カバンの蓋閉じ構造は、主に箱体開口縁に内フレームを設置する。内フレームには凸壁を設置し、内フレーム及び凸壁によって箱体の耐久性強度を高め、且つ箱蓋を箱体に被せた時、箱蓋は凸壁を嵌合する。凸壁が箱蓋と箱体の接続線箇所を遮ることで、密着効果が更に高まる。【選択図】図２
0003169651.tif 000002
【実用新案登録請求の範囲】
【請求項１】
箱蓋と箱体とからなる旅行カバンの蓋閉じ構造において、
箱体開口の縁内面に内フレームが設置され、内フレームは、前記箱体内部側に、箱体開口の縁より突出する凸壁が一体成型され、前記内フレーム及び前記凸壁によって、箱体の耐久性強度を高めるとともに、
旅行カバンの箱蓋が箱体に閉じた時、箱蓋は前記凸壁に嵌合されるとともに、凸壁が箱蓋と箱体の接続線を遮り、箱蓋と箱体の接続部分の強度を高める効果を備えることを特徴とする旅行カバンの蓋閉じ構造。
【考案の詳細な説明】
【技術分野】
【０００１】
本考案は、旅行カバンの蓋閉じ構造に関するもので、旅行カバンの箱体と箱蓋間の耐久性強度を高め、更に密着させる効果を備える。
【背景技術】
【０００２】
公知の旅行カバンの蓋閉じ構造は、図１に示すとおり、箱体１と箱蓋２の開口縁に開閉するファスナー３を設置する。
【先行技術文献】
【特許文献】
【０００３】
【特許文献１】特開２００１−１４９１２７号公報
【考案の概要】
【考案が解決しようとする課題】
【０００４】
解決しようとする問題点は、ファスナー３は、箱蓋２が誤って開くのを防止する機能しか備えない点である。そのため、密着度は悪く、且つ箱蓋２のファスナー３が壊れて開きやすく、箱体１に対する耐久性強度の助けにならない。拠って、箱体はぶつかると壊れやすい。
【課題を解決するための手段】
【０００５】
本考案は、主に箱体開口縁に内フレームを設置する。内フレームには凸壁を設置し、内フレーム及び凸壁によって箱体の耐久性強度を高め、且つ箱蓋を箱体に被せた時、箱蓋は凸壁を嵌合する。凸壁が箱蓋と箱体の接続線箇所を遮ることで、密着効果が更に高まることを最も主要な特徴とする。
【考案の効果】
【０００６】
本考案の旅行カバンの蓋閉じ構造は、旅行カバンの箱体と箱蓋間の耐久性強度を高め、更に密着させるという利点がある。
【図面の簡単な説明】
【０００７】
【図１】公知の構造立体図である。
【図２】本考案の構造立体分解図
【図３】本考案の組立立体図である。
【図４】本考案の箱蓋を閉じた立体図である。
【図５】本考案の組合断面図である。
【考案を実施するための形態】
【０００８】
本考案は、上述公知の欠点を改善する。そのため、箱体開口縁に内フレームを設置して内フレームによって箱体の耐久力を高め、更に内フレームに凸壁を設置し、その凸壁によって耐久性強度を高め、箱蓋を箱体に閉じた時、箱蓋が凸壁に嵌合し、凸壁が箱蓋と箱体の合わさる接続線を遮り、更に密着させる効果を備える旅行カバンの蓋閉じ構造を提供することを本考案の主な目的とする。
【実施例】
【０００９】
図２、３、４、５に示すとおり、箱体１０開口縁内面には内フレーム１３を設置する。内フレーム１３は箱体開口の縁より突出する凸壁１４が一体成型され、内フレーム１３と箱体１０の組合せはリベット１５で止める。箱体１０と蓋１１は、相互に対応して閉める留め金１２を設置する。他に、箱体１０と箱蓋１１間にはファスナーを設置してもよい。
【００１０】
上述構造によって、下述の効果がある。図５に示すとおり、箱蓋１１と箱体１０が閉じた時、内フレーム１３、凸壁１４箇所は、箱体１０と箱蓋１１内面に於いて補強効果を形成し耐久性強度が高まる。そのため、箱体１０がぶつかった時、壊れにくい効果を備える。また、箱蓋１１が箱体１０で閉じた時、箱蓋１１が内フレーム１０凸壁１１で嵌合する。言い換えると、凸壁１１箇所は内面にあって、凸壁１１が遮掩箱体１０と箱蓋１１が相互に合わさるのを遮り、より効果的な密着効果を備える。
【００１１】
上述に示すとおり、本考案は、耐久性強度、密着効果を高め、更に実用性効果を備える。それは実用新案登録の要旨に符合するため、ここに申請する。
【符号の説明】
【００１２】
１        箱体
１０        箱体
１１        箱蓋
１２        留め金
１３        内フレーム
１４        凸壁
１５        リベット
２        箱蓋
３        ファスナー
【図１】
0003169651.tif 000003
【図２】
0003169651.tif 000004
【図３】
0003169651.tif 000005
【図４】
0003169651.tif 000006
【図５】
0003169651.tif 000007
(57)【要約】      （修正有）【課題】布団カバーにおける布団出し入れ用開口部の閉じ合わせ紐の破損を防ぎ、また布団カバーの使用現場である病院やホテル等での布団カバーの交換作業を容易にする布団カバーを提供する。【解決手段】布団カバー１における布団出し入れ用開口部に開口部２を閉じ合わせるため対となるＵ字形に成形した布紐３ａの両端を縫着して構成する。上記Ｕ字形に成型した布紐は、業務用クリーニングでの破損防止のため薄く平らに成形されたものである。また、上記Ｕ字形に成型した布紐は、対となるＵ字形に成型した布紐との結わえ解きはずしが簡単にできる。【選択図】図１
0003169642.tif 000002
【実用新案登録請求の範囲】
【請求項１】
布団出し入れ用開口部に開口部を閉じ合わせるため対となるＵ字形に成形した布紐の両端を縫着していることを特徴とする布団カバー
【考案の詳細な説明】
【技術分野】
【０００１】  布団出し入れ用開口部に開口部を閉じ合わせるため対となるＵ字形に成形した布紐の両端を縫着していることを特徴とする布団カバーに関するものである。
【背景技術】
【０００２】  従来、布団カバーの業務用クリーニングにおける乾燥シワ取り機であるロールアイロナーの高温度特性や、布団カバーを送り込む狭い隙間、シワ取りのための加圧等の条件下では、業務用クリーニングをすることができる布団カバーの開口部を閉じ合せる部材には制約があり、布団カバーの開口部には、開口部を閉じ合わせるために対となる布製の紐が縫着されていた。【０００３】  布団カバーを使用する際、布団カバーの布団出し入れ用開口部から布団を入れて開口部を閉じ合わせるために開口部に対となるように縫着された布紐を解く際に簡便な蝶結びで結び合わせていた。
【考案が解決しようとする課題】
【０００４】  布団カバーに布団を入れて睡眠に使用している際に、寝返り等で動かされた布団出し入れ用開口部が他の物品や睡眠者の身体等に触れ、閉じ合わすために結ばれた布紐の蝶結びの輪差が解けて固結びとなることがあった。また、布団カバーに布団を入れて開口部を閉じ合せる際に、誤って固結びのまま使用実施することもあり、固結びとなった結び目は解くのが難しく布団の入れ替え作業に支障をきたすことがあった。さらに、固結びに結ばれたまま開口部の隙間から布団を取り出して業務用クリーニングで処理をされた布団カバーは、ロールアイロナーにより布紐や布紐縫着部位の損壊が発生していた。
【０００５】  本考案は上記問題点を解決することを目的とするものである。
【課題を解決するための手段】
【０００６】  上記目的を解決するため、本考案は、布団カバーの布団出し入れ用開口部に開口部を閉じ合わせるために対となるＵ字形に成形した布紐の両端が縫着されていることで構成されたものである。また、Ｕ字形に成形された布紐は、業務用クリーニングのために薄く平らに成形されたものである。
【考案の効果】
【０００７】  本考案は上述の如く構成したので、布団カバーが業務用クリーニングで容易にクリーニングを行うことができる効果が存する。また、上記Ｕ字形に成形された布紐は対と成るＵ字形に成形された布紐と簡単に結び合わせることができるとともに簡単に結びを解く事ができる効果が存する。
【考案を実施するための最良の形態】
【０００８】  布団出し入れ用開口部に開口部を閉じ合わせるため対となるＵ字形に成形した布紐の両端を縫着されている。（図１）また、Ｕ字形に成形された布紐は、薄く平らに成形されたものである。
【実施例】
【０００９】  以下に本考案の構成を添付図面に示す実施例を参照して詳細に説明する。【００１０】  １は布団カバー本体であり、２の布団出し入れ用開口部に開口部を閉じ合わせるため対となるＵ字形に成形した布紐の両端が縫着されて構成されている。（図１）【００１１】  布団カバーの布団出し入れ用開口部から布団を入れ、布団カバー内部の四辺や四隅に布団を平延べにし、布団カバーの布団出し入れ用開口部を閉じ合わせるために布団カバーに縫着された対となるＵ字形紐を下記に示した手順で結び合わせる。（図２）【００１２】  以下に布団カバーに布団を入れ布団出し入れ用開口部を閉じ合わせるＵ字形紐の結び方手順を示す。【００１３】  ３ａと３ｂを重ね合わせる。（図３）【００１４】  ３ａの輪に３ｂを通す。（図４）【００１５】  ３ｂを輪にして３ａを差し込む。（図５）【００１６】  ３ｂの輪を１にたぐり寄せる。（図６）【００１７】  ３ｂの先端を３ａの輪に引き出す。（図７）【００１８】  ３ｂで１を引き寄せながら３ａを締め付ける。（図８）【００１９】  結ばれた３ａ、３ｂは３ａを緩めて３ｂを抜き出すことにより簡単に解きはずことができる。
【産業上の利用可能性】
【００２０】  本考案は、業務用クリーニングにおいて布団カバーの破損を極めて少なくすることができる可能性を存する。【００２１】  本考案は、布団カバーの交換作業が簡単に行なえる可能性を存する。
【図面の簡単な説明】
【００２２】
【図１】本考案の平面外観図である。
【図２】本考案のＵ字形に成形された布紐と布紐を結わえた平面外観図である。
【図３】Ｕ字形紐の結び方手順を示す
【図４】Ｕ字形紐の結び方手順を示す
【図５】Ｕ字形紐の結び方手順を示す
【図６】Ｕ字形紐の結び方手順を示す
【図７】Ｕ字形紐の結び方手順を示す
【図８】Ｕ字形紐の結び方手順を示す
【符号の説明】
【００２３】１…業務用布団カバー本体
２…布団出し入れ用開口部
３ａ…Ｕ字形に成形した布紐
３ｂ…Ｕ字形に成形した布紐
【図１】
0003169642.tif 000003
【図２】
0003169642.tif 000004
【図３】
0003169642.tif 000005
【図４】
0003169642.tif 000006
【図５】
0003169642.tif 000007
【図６】
0003169642.tif 000008
【図７】
0003169642.tif 000009
【図８】
0003169642.tif 000010
(57)【要約】      （修正有）【課題】親指の付け根と人差指の付け根を隙間なくタイトに保ち、良好なグリップを作るゴルフ手袋を提供する。【解決手段】ゴルフ手袋の母指の付け根にゴムスプリング２の一方を取り付け、他方を引っ張った状態で甲に取り付ける。従って使用時には、母指が示指の付け根に引っ張られる結果、良好なグリップを容易に作ることが可能となる。【選択図】図１
0003169633.tif 000002
【実用新案登録請求の範囲】
【請求項１】
母指の付け根にゴムスプリングの一方を取り付け、他方を引っ張った状態で甲に取り付けたゴルフ手袋。
【考案の詳細な説明】
【技術分野】
【０００１】この考案はゴルフ手袋に関するものである。
【背景技術】
【０００２】ゴルフスイングの良好なグリップを作るために母指の付け根を手の甲側に引っ張るゴムスプリングを取り付けた。
【考案の開示】
【考案が解決しようとする課題】
【０００３】母指の付け根と示指の付け根を隙間無くタイトに保つことを目的とした。
【課題を解決するための手段】
【０００４】母指の付け根にゴムスプリングの一方を取り付け、手の甲の適切な位置に他方を引っ張って適当に伸ばした状態で、取り付ける。
従って手袋を使用していない時はその甲には、しわができる。
使用の際には母指は甲側に引っ張られ、良好なグリップを作ることができる。
【考案の効果】
【０００５】良好なグリップをもたらし、さらにフィット感の良い手袋を供給することができる。
【考案を実施するための最良の形態】
【０００６】痛みを発生するほど強く引っ張ることのないよう、程良い緊張力が望ましい。
【実施例】
【０００７】皮手袋、布手袋を問わず実施が可能である。
【産業上の利用可能性】
【０００８】それ程に高価となる事由が少ない。
【図面の簡単な説明】
【０００９】
【図１】  本考案の正面図
【図２】  本考案の背面図
【符号の説明】  １    手袋              ２    ゴムスプリング
【図１】
0003169633.tif 000003
【図２】
0003169633.tif 000004
(57)【要約】【課題】ゴルフの磁着用金属製マーカーの放置時、芝刈機への巻込みから刃の損傷事故を防止するため、安全な高反射ホログラム機能付き磁着用柔軟構造ゴルフマーカーを提供する。【解決手段】  張り合わせたホログラムフィルムとアルミ箔を連続した凸型四角錐状に成形した高反射ホログラムシートを、鉄粉体を埋め込んだ軟質ウレタンゴムに接着し、表面に紫外線硬化樹脂を設けたことを特徴とする高反射ホログラム機能付き磁着用柔軟構造ゴルフマーカー。【選択図】図１
0003169640.tif 000002
【実用新案登録請求の範囲】
【請求項１】
張り合わせたホログラムフィルムとアルミ箔を連続した凸型四角錐状に成形した高反射ホログラムシートを、鉄粉体を埋め込んだ軟質ウレタンゴムに接着し、表面に紫外線硬化樹脂を設けたことを特徴とする高反射ホログラム機能付き磁着用柔軟構造ゴルフマーカー。
【考案の詳細な説明】
【技術分野】
【０００１】  本考案は、ゴルフのグリーンで使用する金属製ゴルフマーカーに、安全性を兼ね備えた高反射ホログラム機能付き磁着用柔軟構造ゴルフマーカーに関するものである。
【背景技術】
【０００２】  従来、マグネット式クリップに磁着するゴルフマーカーは、磁石に誘導させるための磁性体の金属板を基板として使用していた。
【考案の概要】
【考案が解決しようとする課題】
【０００３】  そのために欠のような欠点があった。
（イ）グリーン上に放置されたマーカーを芝刈機が噛み込んだ場合、刃が損傷したり故障の原因になっていた。
本考案は、以上の欠点を解決するためになされたものである。
【課題を解決するための手段】
【０００４】  張り合わせたホログラムフィルムとアルミ箔を連続した凸型四角錐状に成形したシートを、鉄粉体を埋め込んだ軟質のウレタンゴムに接着し、表面に紫外線硬化樹脂を設けたことを特徴とする高反射ホログラム機能付き磁着用柔軟構造ゴルフマーカーである。
【考案の効果】
【０００５】  従来の金属板のゴルフマーカーと異なり柔軟構造のため、芝刈機の回転刃と接触しても刃の損傷を防ぐことができ、安全性に考慮しつつもマグネット式クリップへの磁着を可能とした。
【図面の簡単な説明】
【０００６】
【図１】本考案の分解斜視図
【図２】本考案の断面構造図
【考案を実施するための形態】
【０００７】  以下、本考案の実施の形態について説明する。
（イ）ホログラムフィルム（３）とアルミ箔（４）を接着し、連続した凸型四角錐状のホログラムシート（５）を成形する。
（ロ）穴を空けた軟質のウレタンゴム（１）の穴に鉄粉体（２）を挿入する。
（ハ）ウレタンゴム（１）上に成形されたホログラムシート（５）を接着し、ホログラムシート（５）上面に紫外線硬化樹脂（７）を設ける。
本考案は以上のような構造で、ゴルフマーカーにこれを応用する。
【符号の説明】
【０００８】    １  ウレタンゴム
２  鉄粉体
３  ホログラムフィルム
４  アルミ箔
５  ホログラムシート
６  接着剤
７  紫外線硬化樹脂
【図１】
0003169640.tif 000003
【図２】
0003169640.tif 000004
(57)【要約】      （修正有）【課題】腿の付け根部分を紐で縛ることにより、風等でスカートと一緒にめくれ上がるのを防ぐことができるキャミソールを提供する。【解決手段】キャミソールやスリップの本体と、本体の裾部から下に延びたレースやフリルとの結合部に沿って周回する紐通しのトンネル２を設け、正面中央部に通し紐の紐通し口３を約１ｃｍ程の間隔で設ける。紐通しに通した通し紐４の両端近くに結び目５を作り、紐通しの穴に通し紐の末端が入り込まない程度のこぶ状を形成しておく。これを使用する時は、通し紐４を引いて裾を絞り両端を結ぶ。なお、通し紐４の結び目５の代わりに留め具で留める方法でもよい。【選択図】図２
0003169638.tif 000002
【実用新案登録請求の範囲】
【請求項１】
キャミソールやスリップの本体と、本体の裾部から下に延びたレースやフリルとの結合部に沿って周回する紐通しのトンネルを設け、正面中央部に通し紐の紐通し口を約１ｃｍ程の間隔で設け、紐通しに通した通し紐の両端近くに結び目を作り、紐通しの穴に通し紐の末端が入り込まない程度のこぶ状を形成しておくことを特徴とするチラ見え防止キャミソールである。
【考案の詳細な説明】
【技術分野】
【０００１】  本考案は女性用下着に関するものである。
【背景技術】
【０００２】  スカート着用時、風等でスカートがめくれ上がったときの下着のチラ見えを防ぐためには、スカートの下に見えてもいい下着やスパッツ等をはくという解決策しかなかった。
【考案の開示】
【考案が解決しようとする課題】
【０００３】  スカート着用時、従来のスリップ、キャミソール等ではスカートと一緒にめくり上がりショーツが見えてしまう場合がある。スカートの下に見えてもいい下着をつけるという解決策もあるが、全ての女性が抵抗なく身につけられるものではない場合が多い。
【課題を解決するための手段】
【０００４】  キャミソールやスリップの本体と、本体の裾部から下に延びたレースやフリルとの結合部に沿って周回する紐通しのトンネルを設け、正面中央部に通し紐の紐通し口を約１ｃｍ程の間隔で設ける。紐通しに通した通し紐の両端近くに結び目を作り、紐通しの穴に通し紐の末端が入り込まない程度のこぶ状を形成しておく。
以上を特徴とするチラ見え防止キャミソールである。
【考案の効果】
【０００５】  従来のスリップ、キャミソール等では、風等でスカートはめくり上がったときに一緒にめくり上がり、ショーツが見えてしまう不安があったが、腿の付け根部分を紐で縛ることにより、スカートと一緒にめくり上がるのを防ぐことができる。
【考案を実施するための形態】
【０００６】以下、本考案の実施の形態を説明する。
（イ）キャミソールやスリップの本体と、本体の裾部から下に延びたレース（１）やフリルとの結合部に沿って周回する紐通しのトンネル（２）を設け、正面中央部に通し紐の紐通し口（３）を約１ｃｍ程の間隔で設ける。紐通しに通した通し紐（４）の両端近くに結び目（５）を作り、紐通しの穴に通し紐の末端が入り込まない程度のこぶ状を形成しておく。
以上を特徴とするチラ見え防止キャミソールである。
（ロ）本体は以上のような構成になっており、、これを使用する時は、通し紐（４）を引いて裾を絞り両端を結ぶ。
（ハ）なお、通し紐（４）の結び目（５）の代わりに留め具で留める方法でもよい。
【図面の簡単な説明】
【０００８】
【図１】本考案の外観図
【図２】本考案の内部図
【図３】本考案の使用状態を示す内部図
【図４】本考案の使用状態を示す外観図
【符号の説明】
【０００９】１  レース
２  紐通し
３  紐通し口
４  通し紐
５  結び目
【図１】
0003169638.tif 000003
【図２】
0003169638.tif 000004
【図３】
0003169638.tif 000005
【図４】
0003169638.tif 000006
(57)【要約】      （修正有）【課題】自転車のスタンドを立てた時に、スタンド本体に付いた２個の小車輪により自転車の後部を、横方向に楽に移動出来る自転車用のスタンドを提供する。【解決手段】自転車のスタンド本体１に、小車輪２を２個付けて、スタンドを立てた時に小車輪が地面と接する様にする。小車輪は自転車の進行方向と直行する方向に回る様に付ける為自転車の後輪部を左右に動かして、方向転換する事が出来る。この構造により、力の弱い人であっても、電動自転車などの重い車輌の場合にも容易に移動させることができるようになる。【選択図】図１
0003169639.tif 000002
【実用新案登録請求の範囲】
【請求項１】
自転車を立てる時に使うスタンドの左右に、小車輪を各１個付けて、スタンドを立てた時に小車輪が地面に接して、自転車を横方向に動かす事が出来る、自転車のスタンド。
【考案の詳細な説明】
【技術分野】
【０００１】本考案は自転車のスタンドを立てた時に、スタンド本体に付いた２個の小車輪により自転車の後部を、横方向に楽に移動出来る、スタンドに関するものである。
【背景技術】
【０００２】現在、市販されている自転車のスタンドは駐輪時に、あくまで自転車が動かないようにする物である為、スタンドを立てた自転車を方向転換するのは重労働である。
【考案の概要】
【考案が解決しようとする課題】
【０００３】停めてある自転車を方向転換する時は、自転車後部を持上げて方向転換するが、力の弱い人には容易ではないし、最近流行の電動自転車は重いので尚更である。
【課題を解決するための手段】
【０００４】本考案は自転車のスタンド本体に、小車輪を２個取り付けてスタンドを立てた時に小車輪が地面に接するようにする。【０００５】小車輪は、自転車の進行方向と直角に回る様に取り付けて有るのでスタンドを立てたままで、自転車後部を横方向に移動させる事が可能である。
【考案の効果】
【０００６】上述の様に、本考案のスタンドを使うと、重い自転車を持上げて方向転換する必要はなくなり、力の弱い人でも、自転車の方向転換が楽に出来る。
【図面の簡単な説明】
【０００７】
【図１】本考案のスタンド本体と小車輪を取り付けた状態を示す図である。
【符号の説明】１…自転車のスタンド本体
２…小車輪
【図１】
0003169639.tif 000003
(57)【要約】      （修正有）【課題】捕獲後の処理が容易にかつ衛生的に出来るように構成されたねずみ捕獲器を提供する。【解決手段】蓋２の中心に侵入口７を設け、侵入口部分に鼠を誘導する目的で管６を取り付ける。本体である円筒形３と蓋２は密着し、鼠の足の爪が内蓋端面８の部分にかからないようにする。使用に当たっては、容器３と底板部分４をモクネジの要領で回してはずす。底板４の上に餌、殺鼠剤を混ぜて乗せ容器をもとのようにねじ込み密閉する。蓋の中央７に取り付けた管６が鼠の侵入路となり、この中を餌である臭いが伝い流れ管の先端まで臭っていく。鼠は臭いに誘われて管６を上り本体蓋の部分７より容器内に落下する。容器内は大型の鼠が立ち上がっても、足が天井に届かない高さがあるため、逃げることは不可能となる。【選択図】図１
0003169619.tif 000002
【実用新案登録請求の範囲】
【請求項１】
蓋の中央に開けた穴７は、鼠を誘導する管６を取り付ける重要な部分である。この管を伝い上った鼠は、管の中が狭いために後戻りは出来ずに前に進み侵入口から落下するのを特徴とする鼠捕獲器である。
【請求項２】
容器内に、落下した鼠を脱出させないために、容器の内側８に足の爪がかからないように、本体と蓋の部分を内蓋とするのが特徴の捕獲器である。
【請求項３】
捕獲後底板部分４を回して外し、対象物の処理も容易で衛生的なのが特徴。
【考案の詳細な説明】
【技術分野】
【０００１】本考案は、容器の中に餌と殺鼠剤を混ぜて入れ確実に捕獲、殺鼠できる。
本考案は外部から見えない利点がある。したがって、職場、家庭内、建物内のどこにでも置き安全に２４時間捕獲するものである。
【背景技術】
【０００２】従来の捕獲器は、中の餌に食いついた反動を利用して、入り口を閉鎖する方法であった。捕獲後も水につけて水死させる処理方法をとっていた。
【先行技術文献】
【特許文献】
【０００３】
【特許文献】特開  ２００２−３３０６８８号  広報
【考案の概要】
【考案が解決しようとする課題】
【０００４】捕獲されたねずみが、直接外から見えるので不衛生であり不便であった。本考案は捕獲した鼠を確実に殺鼠し、処理も衛生的に容易にできる。
【課題を解決するための手段】
【０００５】捕獲器、蓋の中央、侵入口に取り付けた管の先端を、鼠の通り道や壁際に沿わせるように床に置く。容器の中に入れた餌のにおいが、管の中を伝い流れ管の先端にでる。臭いに誘われて管に入った鼠を、蓋の中央にある侵入口から容器の中へ落下させる。
【考案の効果】
【０００６】本考案は、他の人からは捕獲したねずみが見えない利点がある。したがって職場、家庭内、建物内のどこにおいても、安全に２４時間捕獲するものである。
【図面の簡単な説明】
【０００７】
【図１】密閉容器のねずみ捕獲器断面図。
【図２】管の太さを調節する調節具の断面図。
【図３】中央に侵入口のついた蓋の平面図。
【図４】容器、蓋断面図。
【図５】容器、円筒形断面図。
【図６】容器、円筒形底部断面図。
【考案を実施するための形態】
【０００８】本考案蓋２の中心に侵入口７を設け、侵入口部分に鼠を誘導する目的で管６を取り付ける。
本体となる部分は、中を見せない目的があるため、濃い色の素材を使用して作成する。
本体である円筒形３と蓋２は密着し、鼠の足の爪が８の部分にかからないのが特徴である。
しかし鼠の餌を入れるとき、捕獲確認等のため底板部分を取り外す形態である。
【実施例】
【０００９】上記目的を達成するために本考案の説明をする。
容器３と底板部分４をモクネジの要領で回してはずす。底板４の上に餌、殺鼠剤を混ぜて乗せ容器をもとのようにねじ込み密閉する。【００１０】蓋の中央７に取り付けた管６が鼠の侵入路となり、この中を餌である臭いが伝い流れ管の先端まで臭っていく。【００１１】鼠は臭いに誘われて管６を上り本体蓋の部分７より容器内に落下する。容器内は大型の鼠が立ち上がっても、足が天井に届かない高さがあるため、逃げることは不可能。【００１２】鼠は真上に一メートル以上も飛び上がることが出来るが色の濃い捕獲器の中は暗闇に等しい。飛べば天井に打ち当たり落下する。前足が届いても後ろ足の引っ掛かりがないように、蓋と円筒形本体は内蓋方式で接着する。【００１３】捕獲の確認は本体を斜めに傾ければ、底の部分４が透明なため容易にせきる。処理方法も底板をはずし、処理袋に入れた後、板を水洗いすれば衛生的である。
【符号の説明】
【００１４】１、捕獲器のもち手。
２、蓋の部分。
３、容器本体  濃い色の円筒形。
４、容器本体  透明な底板部分。
５、５ａ，５ｂ  本体円筒形と底板部分をねじ込んで接続。
６、管  鼠を捕獲器へ誘い込む。
７、ねずみ侵入口  管の取り付け部分。
８、容器内の内蓋部分。
９、もち手取り付け部分。
１０、管の太さを変える付属具。
１１、侵入口へ押し込み防止部分。
【図１】
0003169619.tif 000003
【図２】
0003169619.tif 000004
【図３】
0003169619.tif 000005
【図４】
0003169619.tif 000006
【図５】
0003169619.tif 000007
【図６】
0003169619.tif 000008
【手続補正書】
【提出日】平成23年5月18日(2011.5.18)
【手続補正１】
【補正対象書類名】実用新案登録請求の範囲
【補正対象項目名】全文
【補正方法】変更
【補正の内容】
【実用新案登録請求の範囲】
【請求項１】
ねずみの侵入通路となる管（６）を、本体蓋の部分（２）の中央に設けたねずみの侵入口（７）に取り付け、本体（３）の中に落下させて捕獲する構成の密閉容器のねずみ捕獲器。
【請求項２】
本体と蓋の部分を内蓋とするのが特徴の、請求項１記載の密閉容器のねずみ捕獲器。
【請求項３】
捕獲後、底板部分（４）回して外すのを特徴とする請求項１記載の密閉容器のねずみ捕獲器。
(57)【要約】      （修正有）【課題】自転車に装着することができる方向指示器を提供する。【解決手段】自転車の右折又は左折の方向を矢印による光の点滅で明示する方向指示器と、方向指示器を点滅させる発電手段と、バッテリーと、右折か左折かを選択するスイッチを備える。【選択図】図２
0003169617.tif 000002
【実用新案登録請求の範囲】
【請求項１】
自転車での右折、左折を矢印による光の点滅ライトを行う方向指示器と前記方向指示器を点滅させる発電手段と前記発電手段により発電された電気を蓄積するバッテリーと前記方向指示を右折、又は左折のいずれか一方を選択するスイッチとを備えた事を特徴とする自転車方向指示器。
【考案の詳細な説明】
【技術分野】
【０００１】本考案は右折、左折を光で知らせる方向指示器を自転車に装着することに関するものである
【背景技術】
【０００２】地球環境の保護や健康増進のためますます自転車利用が増加することが予測されるがその増加に比例して自転車走行中の交通事故が確実に増加している。事故の原因の多くは無灯火と信号無視、自転車の急な方向転換などで、自転車同士や自動車との接触事故を引き起こしている。
【考案の概要】
【考案が解決しようとする課題】
【０００３】今まで自転車に方向指示器の装着がなく乗車している本人も危険であることを認識しながらも方向指示をどのように知らせたらよいのか、その方法がわからないのが現況である。
したがって自転車に右折、左折を指示する方向指示器を装着することで交通事故を未然に防げることが可能であり前述の欠点を解決しようとするものである。
【課題を解決するための手段】
【０００４】本考案は新品の自転車であれば組み立て時に、現在使用中の自転車であれば自転車販売店で容易に装着できる方向指示器であり前方と後方の２箇所に取り付けて方向指示を２箇所同時に点滅させることで前方からも後方からもはっきりと方向がわかる方向指示器である。
これにより交通安全の意識度向上と乗車している人の安心感と装着器具の簡便さのコストパーフォーマンスの高さにより問題点を解決している。
【考案の効果】上記のように本考案の光の点滅による方向指示器は【０００５】▲１▼前方、又は後方の人、自転車、自動車に対し方向の明確な表示をすることで交通事故が未然に防げる。特に雨天、霧、夕刻時、夜間に格段の効果が期待できる。
▲２▼方向指示器をつけているという意識が常にはたらき、自らが交通安全に対する注意喚起につながる。
▲３▼光の点滅装置エネルギー源は太陽光や風力など地球環境を大事にした自然利用を行う。
【考案を実施するための形態】
【０００７】自転車の回転による発電、太陽光発電、風力による発電を一旦蓄電し右折、左折を指示するスイッチによって通電させ矢印移動点滅する方向指示器に連結する。
現状の充電式乾電池による方向指示器も使用可能にする。自転車の前方からも後方からも右折、左折がはっきりわかるように同時に２箇所の点滅を連動させ認知度をさらに高める。
発光、ライトについては現在でのＬＥＤライトなどを使用して高輝度で長時間耐久で自然エネルギーを使用した光の矢印移動点滅による右折又は左折の方向指示器とする。
点滅ライトの色については規定の、黄色とする。
【実施例】
【０００８】以下、添付図面に従って一実施例を説明する。図２は後方に荷台がある場合で図１Ａの形態。また、荷台がない場合を図１Ｂの形態であらわしている。各々、止めネジできちっと固定する。【０００９】図３は前方の方向指示器でフォークの左右に各々装着し、止めネジで固定する。【００１０】図４はハンドル手元に装置する方向指示スイッチでＬ（左）とＲ（右）の表示をして各々、スライドさせて方向指示器を点滅させる。なお、中央に留め置けばニュートラルになり通電しない状態にする。なお、利き手や障害も考慮し左右のどちらのハンドル手元にも装置できるようにする。さらにＬとＲ各々の端に小さいライトを補助としてつけ現在方向指示のライトが右折又は左折のどちらを点滅させているかを目で確認できるようにする。【００１１】図６は回転による発電機で、現状明るさ感知によるオートライトに使用されているが連動させて、日中でも方向指示器に使用することもひとつのエネルギー源として考えられる。【００１２】図７は蓄電池装置で運転に支障をきたさないサドル下に止めネジで固定する。【００１３】図８は太陽光発電機で走行中も日陰にならず、運転にも支障をきたさない、ハンドル中央部に止めネジで固定する一例である。【００１４】図９は風力による発電機の一例で羽根状の回転翼をつけ発電させる。
【図面の簡単な説明】
【０００６】
【図１】本考案の光の点滅による方向指示器の装着実施例を示す概略図である
【図２】図１Ａの拡大図で後方荷台の金属部分に矢印点滅ライトを装着した図である。ただし、荷台に荷物を積んだ場合は矢印点滅ライトが見えない場合があるので図１のＢへの装着を必須とする。図１Ｂの拡大図で後方荷台受けフレームの部分に矢印点滅ライトを装着した図である。以上、図１Ａ又は図１Ｂの装着により後方から見た方向指示が明確に理解できる。
【図３】図１Ｃの拡大図で前方フレームへの矢印点滅ライトを装着した図であるこれにより前方から見た方向指示が明確に理解できる。
【図４】図１Ｄの拡大図で右又は左のハンドル手元の方向指示スイッチである。右利き、左利きを考慮し左右どちらかに方向指示スイッチを装着できるようにする。方向指示が間違っていないかを確認するため、Ｌは左方向  Ｒは右方向として指示する方向のライトが点滅するのでハンドル手元で再確認が容易にできる。図１Ｄを更に拡大した図のように左右の切り替え指示は指で簡単に操作ができるため、走行中であっても容易に操作が可能である。
【図５】本考案の光の点滅による方向指示器の発電器ならびに蓄電器の装着実施例を示す概略図である。
【図６】図５Ｅの拡大図である。現状の光センサーによる自動点灯ライトのエネルギーを活用し、図１の光の点滅による、各方向指示器に連動させるものである。
【図７】図５Ｆの拡大図である。図５のＧ，Ｈ，Ｅの各発電装置から生じた電気をいったん蓄電する蓄電器の図である。
【図８】図５Ｇの拡大図である。太陽光による発電装置の設置図である。
【図９】図５Ｈの拡大図である。風力による発電装置の設置図である。
【図１】
0003169617.tif 000003
【図２】
0003169617.tif 000004
【図３】
0003169617.tif 000005
【図４】
0003169617.tif 000006
【図５】
0003169617.tif 000007
【図６】
0003169617.tif 000008
【図７】
0003169617.tif 000009
【図８】
0003169617.tif 000010
【図９】
0003169617.tif 000011
【手続補正書】
【提出日】平成23年5月20日(2011.5.20)
【手続補正１】
【補正対象書類名】実用新案登録請求の範囲
【補正対象項目名】請求項１
【補正方法】変更
【補正の内容】
【請求項１】
・自転車での右折、左折の方向を矢印による光の点滅で明示する方向指示器と前記方向指示器を点滅させる発電手段と前記発電手段により発電された電気を蓄積するバッテリーと前記方向指示を右折、または左折のいずれか一方を選択するスイッチとを備えた事を特徴とする自転車方向指示器。
(57)【要約】      （修正有）【課題】経済的かつ安全に、試験体を圧力で破壊しながら、試験体の温度を測定することができる熱伝対付破壊測定器具を提供する。【解決手段】棒状ロッド２と、その先端に接続された破壊突起部３からなり、その棒状ロッド２の中心には長手方向に穴が開け、その穴の破壊突起部３近傍に、熱伝対線Ａ４１と熱伝対線Ｂ４２を介して、電圧計６に接続して熱起電力を測定する熱電対を備えた熱伝対接続部４３を備え、その熱対接続部４３近傍の棒状ロッド２の外周部から中心へ向って放射上に１個ないしは複数個の横穴７を設ける。棒状ロッド２の上方から押さえて、破壊突起部３で試験体５に圧力を加える。【選択図】図１
0003169620.tif 000002
【実用新案登録請求の範囲】
【請求項１】
棒状ロッド２と、その先端に接続された破壊突起部３からなり、その棒状ロッド２の中心には長手方向に穴が開け、その穴の破壊突起部３近傍に、熱伝対線Ａ（４１）と熱伝対線Ｂ（４２）を介して、電圧計６に接続して熱起電力を測定する熱電対を備えた熱伝対接続部（４３）を備え、その熱伝対接続部４３近傍の棒状ロッド２の外周部から中心へ向って放射上に１個ないしは複数個の横穴７を設けた熱伝対付破壊測定器具であって、熱伝対付破壊測定器具１の棒状ロッド２の上からの圧力Ｐで押さえて、破壊突起部３で試験体５に圧力を加え、その試験体の周辺温度を、棒状ロッド２の横穴７から高速に取り入れることにより、正確に温度を測定できるようにしたことを特徴とする熱伝対付破壊測定器具。
【考案の詳細な説明】
【技術分野】
【０００１】本考案は測定対象である試験体を破壊しながら、同時に温度を測定できる熱伝対付破壊測定器具に関するものである。
【背景技術】
【０００２】化学物質が内部に含まれる容器は、容器が破壊された時に化学物質が酸素と反応し高熱と発火の危険性を含んでいる。容器を安全に保障するには容器の破壊強度の測定と、その破壊のときに発生する温度を、時系列で正確に測定することにより、化学物質を含む容器の安全性を確保する手法が求められている。
【先行技術文献】
【特許文献】
【０００３】
【特許文献１】特開２００６−２１４８６６号公報
【考案の概要】
【考案が解決しようとする課題】
【０００４】１）試験体を圧力で破壊でき、且つその破壊での爆発でも潰れてはいけない。例えば、化学物質が内部に含まれる容器の場合は、容器が破壊された時に化学物質が酸素と反応し高熱と発火の危険性に耐えられることが必要である２）試験体に圧力をかける箇所とその周辺の温度を正確に測定する必要がある。測定対象物の破壊前と、破壊後の圧力と温度の時間変移を正確測定する必要がる。３）温度測定の高速応答性が求められる。４）容器の経済性と安全性を確保する必要がある
【課題を解決するための手段】
【０００５】棒状ロッド２と破壊突起部３を備え、棒状ロッド２の中心には長手方向に円柱状の穴を開け、その穴には熱伝対線Ａ（４１）と、熱伝対線Ｂ（４２）を接続した熱伝対接続部（４３）を、破壊突起部３の近傍に設け、その熱伝対接続部（４３）に近い棒状ロッドに１個あるいは複数個の横穴７を設けることで瞬時に測定でき、且つ破壊検査できることを特徴とする熱伝対測定器具。
【考案の効果】
【０００６】本考案の熱伝対付破壊測定器具を使用することで、容器が破壊され容器内の化学物質が酸素と反応し高熱を発するまでの時間、温度と容器強度の関係を同時に測定可能となる。
【考案を実施するための形態】
【００１０】図１と図２で本考案の熱伝対付破壊測定器具の構成を示す。図１は、本考案の熱伝対付破壊測定器具の構成である。熱伝対付破壊測定器具１は、棒状ロッド２と、その先端に接続された破壊突起部３からなり、棒状ロッド２の中心には長手方向に穴が開いている。その穴の破壊突起部３近傍に熱電対である熱伝対接続部（４３）が配置する。熱伝対接続部（４３）は、熱伝対線Ａ（４１）と、熱伝対線Ｂ（４２）を介して、電圧計６に接続され、熱起電力を測定する。熱対接続部４３近傍の棒状ロッド２の外周部から中心へ向って放射上に１個ないしは複数個の横穴７を設ける。熱伝対付破壊測定器具１の棒状ロッド２の上から圧力Ｐで押さえて、破壊突起部３で試験体５に圧力を加える。試験体が破壊したときの温度を、棒状ロッド２の横穴７から高速に取り入れる。横穴７と試験体５は近いので、正確に温度を測定できる。
【００１１】図２は、本考案の熱伝対付破壊測定器具の棒状ロッドの熱対接続部４３近傍の断面図である。棒状ロッド２の外周部から中心へ向って放射上に１個ないしは複数個の横穴７を設けている。試験体が化学物質を含む容器の場合、試験体５の破壊により、その中に含まれた化学物質が飛び散り、熱対接続部４３へ入り瞬時に温度測定が可能となる。このように、容器内の化学物質が空気と反応し高熱を生じ発火するまでの時間差なく正確に温度上昇を測定できる。
【０００８】図３ａと図３ｂに従来の熱伝対付破壊測定器具の構成を示す。図３ａの熱伝対付破壊測定器では、熱対接続部４３近傍に、本考案の図１のような複数個の横穴７がなく、棒状ロッド２を介して、その内部に設置された熱対接続部４３に温度が伝わるので、温度の伝わるのが非常に遅れる。例えば、試験体５の化学物資を含む容器の場合、破壊後の化学物質が空気と反応し高熱と発火するまでの試験体５の破壊時間から瞬時に温度測定することは難しい。
【０００９】図３ｂにおいて熱伝対付破壊測定器具１では。熱伝対付破壊測定器具１破壊部分の端面は開放されており容器破壊後の化学物質が空気と反応し高熱と発火するまでの試験体５の破壊時間差を生じることなく正確に温度測定することは容易であったが、先端の破壊突起部３がないため破壊測定器具１の破壊測定には強度不足という限界がある。
【図面の簡単な説明】
【００１１】
【図１】本考案の熱伝対付破壊測定器具の構成
【図２】本考案の熱伝対付破壊測定器具の棒状ロッド断面図
【図３ａ】従来の熱伝対付破壊測定器具の構成例
【図３ｂ】従来の他の熱伝対付破壊測定器具の構成例
【符号の説明】
【００１２】１    熱伝対付破壊測定器具２    棒状ロッド３    破壊突起部４１  熱伝対線Ａ４２  熱伝対線Ｂ４３  熱伝対接続部５    試験体６    電圧計７    横穴
【図１】
0003169620.tif 000003
【図２】
0003169620.tif 000004
【図３ａ】
0003169620.tif 000005
【図３ｂ】
0003169620.tif 000006
(57)【要約】      （修正有）【課題】安全・安心な穀物を長期に保存可能にする缶詰を提供する。【解決手段】スチール缶１に穀物５を紙袋４に入れて、脱酸素剤３と共に封入密閉する事で酸素を遮断し、長期保存を可能にした穀物缶詰である。穀物を紙袋に入れて脱酸素剤と共にスチール缶に密封収納した事を特徴とする穀物缶詰である。本考案で言う穀物とは、白米、黒米、赤米、緑米、古代米、麦、稗、粟、胡麻、蕎麦で有り、又これらを製粉した物も含み、これらの穀物一種類又はこれらの混合物を言う。穀物である例えば米は精米したままとし、添加物や保存料を加えず、乾物状態で使用する事で安全・安心が確保できる。缶は、缶切りを使わなくても良いようにプルトップ缶を使う。蓋を開けた時に中身が飛散しないように、穀物を紙袋に入れて封をし、酸化防止のために袋の上には、脱酸素剤を乗せて缶を密閉して、長期保存が出来るようにした。【選択図】図１
0003169892.tif 000002
【実用新案登録請求の範囲】
【請求項１】
穀物を紙袋に入れて脱酸素剤と共に、スチール缶に密封収納した事を特徴とする穀物缶詰。
【考案の詳細な説明】
【技術分野】
【０００１】  本考案は、安全・安心な穀物を長期保存出来るようにした缶詰に関するものである。
【背景技術】
【０００２】  現在販売されている穀物の多くは、ビニール袋に入った物や調理済穀物と言った物が多く、長期保存に適した物が少ないのである。
最近、震災や火災による大規模な災害の発生時に備えた、野外でも簡単に調理が出来る備蓄用食材の必要性が言われており，長期保存食品を常備しようとする家庭も増えて来ている。【０００３】  しかし、ビニール袋に入った食品などは、中に空気が入って居ることで長期保存には適さないのである。また、調理済穀物には、食品添加物や合成保存料の使用されているものが有り安全・安心の観点から適当でないと考える。
【考案の概要】
【考案が解決しようとする課題】
【０００４】  災害など非常時は勿論のこと、日常に置いても持ち運びが簡単である事、野外でも簡単に調理が出来る事、併せて安全・安心に食せる事の課題を解決しようとするものである。
【課題を解決するための手段】
【０００５】  本考案は、穀物を紙袋に入れて脱酸素剤と共にスチール缶に密封収納した事を特徴とする穀物缶詰である。
本考案で言う穀物とは、白米、黒米、赤米、緑米、古代米、麦、稗、粟、胡麻、蕎麦で有り、又これらを製粉した物も含み、これらの穀物一種類又はこれらの混合物を言う。
穀物である例えば米は精米したままとし、添加物や保存料を加えず、乾物状態で使用する事で安全・安心が確保できる。
缶は、缶切りを使わなくても良いようにプルトップ缶を使う。蓋を開けた時に中身が飛散しないように、穀物を紙袋に入れて封をし、酸化防止のために袋の上には、脱酸素剤を乗せて缶を密閉して、長期保存が出来るようにした穀物缶詰である。
【本考案の効果】
【０００６】  本考案は、プルトップ缶を使用する事で缶切りは不要である事、白米など穀物を紙袋に入れる事で、開封時に内容物が飛散しない事と微量の湿気を吸収調整する役目をするのである。
脱酸素剤を使用する事で酸素を遮断し、酸化防止や腐敗防止に役立つのである。そして、長期保存に耐える容器として、スチール缶を使う事で外気を遮断し密閉する事が出来るのである。
また、前述の通り野外等においては、スチール缶は鍋の役目を果たすことも実証済みである。
【０００７】  非常時の備蓄食糧としてだけでは無く、日常生活においても食品添加物や合成保存料を使用しない事で、穀物一種類又は穀物混合により健康的な自然食品として活用効果は大きい物がある。
【０００８】  スチール缶を使用する事で、積重ねたり持ち運びに機能的であり、占有場所の少ない備蓄保存食品として利用効果は大である。
【図面の簡単な説明】
【０００９】
【図１】本考案を示す図である。
【符号の説明】
【００１０】    １  スチール缶
２  プルトップ
３  脱酸素剤
４  紙袋
５  穀物
【考案を実施するための形態】
【００１１】  本考案の穀物缶詰は、白米など穀物を長期保存し、災害など非常時をはじめ日常生活においても簡単に調理可能であり、食品添加物や合成保存料を使用しない事で、安全・安心に食せるものである。
【００１２】  缶には、白米ですと３００ｇを紙袋に入れて脱酸素剤と共に封入したものである。缶は、プルトップ缶を使う事で缶切りが不要である。缶は、スチール缶を使う事で、鍋や飯ごうの役目を果たしてくれる。白米の場合は、半分の１５０ｇ缶に入れ適量の水を加えて火にかけるとご飯が炊ける。（実験済）残った白米は、紙袋に保存することでご飯を２回炊けるのである。
【図１】
0003169892.tif 000003
(57)【要約】      （修正有）【課題】炊飯釜からごはんをしゃもじで取り出した時、しゃもじに取り残った、ごはん粒をカット出来る炊飯釜を提供する。【解決手段】釜の内側上方口渕下側にしゃもじ巾で横長線形状を内側センターに向かって１０ｍｍ位突き出た形式のカット機を設ける。【選択図】図２
0003169894.tif 000002
【実用新案登録請求の範囲】
【請求項１】
炊飯釜の上方口渕下側に適した位置にしゃもじ巾で横直線形状を１０ｍｍ位内側に突き出た形式のカット機を設けた特徴とする機能的炊飯釜。
【考案の詳細な説明】
【技術分野】
【０００１】  本考案は炊飯釜に米粒カット機を設けた釜である。
【背景技術】
【０００２】  炊飯釜からごはんをしゃもじで茶碗に取り入れた時、どうしても、ごはん粒がしゃもじに取り残こり困っていた。
【考案の概要】
【考案が解決しようとする課題】
【０００３】  別にしゃもじからごはん粒を処理する方法を設置すると、スペースや経済的負担となり、従て前述の欠点を解決しようとするものです。
【課題を解決するための手段】
【０００４】  上記目的を達成するために、本考案は炊飯釜の内側上方口渕下側に適した位置にしゃもじ巾で横長線形状内側に１０ｍｍ位突き出た形式のカット機設け、しゃもじからごはん粒をカットでき問題点を機能的に解決している。
【考案の効果】
【０００５】  上述の様に本考案は炊飯釜に設けたカット機でしゃもじからごはん粒を残さずカットし、釜の中に落ちるので効果的である。
【図面の簡単な説明】
【０００６】
【図１】  カット機付炊飯釜
【図２】  カット機取付位置の斜面図
【図３】  カット機取付位置の左側面図
【図４】  カット機取付位置の平面図
【考案を実施するための形態】
【０００７】  炊飯釜には、大・小多様な釜が有りますが、その釜の上方口渕下側に適した位置にしゃもじ巾で横直線形状内側に１０ｍｍ位突き出た形式のカット機を設け、釜からごはんをしゃもじで取り茶碗に入れた時しゃもじに取り残ったごはん粒はカットされ釜の中に落ちるのである。
【実施例】
【０００８】  以下、添付図に従って――――実施例を説明する、１炊飯釜である  ２．炊飯釜上方口渕下側に適した位置にしゃもじ巾で横直線形状のカット機取付釜、３カット機は１０ｍｍ位内側に突き出た形式の釜、４．カット機により  しゃもじに取り残ったごはん粒はカットされて釜の中に落ちるのである。
【符号の説明】
【０００９】  １  炊飯釜
２  カット機取付位置
３  内側に１０ｍｍ位突き出た形式のカット機
４  しゃもじ巾の横直線カット機
【図１】
0003169894.tif 000003
【図２】
0003169894.tif 000004
【図３】
0003169894.tif 000005
【図４】
0003169894.tif 000006